Podtech/llm-jp-corpus-v4-ja_patent huggingface dataset:
(57)【要約】【課題】食後の食器の跡形付けにおいて、食器の食卓テーブルからキッチンシンクへの運搬労力、そして食前の食器配膳における保管場所から食卓テーブルへの運搬労力をなくし、さらに、食器の洗浄、乾燥、保管、の労力もなくす。【解決手段】食卓テーブル２の端に沿って、食器の出し入れの開口部４をおおう上蓋３を有する食器洗い乾燥機を該食卓テーブルと該上蓋３の高さをほぼ同一になるように該食卓テーブルに固定されたラック７上に設置する。【選択図】図１
2011240005.tif 000002
【特許請求の範囲】
【請求項１】
食器の出し入れの開口部をおおう上蓋を有する食器洗い乾燥機を食卓テーブル端に高さが該食卓テーブルとほぼ同一の高さに該上蓋がくるように固定設置し、食器を該食卓テーブルから、洗浄、乾燥、保管機能を有する該食器洗い乾燥機へ直に収容し、再度食器使用の際は、該食器洗い乾燥機から直に該食卓テーブルへ配膳することを特徴とする食卓テーブル付随食器洗い乾燥機。
【発明の詳細な説明】
【技術分野】
【０００１】
本発明は、食卓テーブルに付随する食器洗い乾燥機に関するものである。
【背景技術】
【０００２】
一般家庭にて、食器洗い乾燥機は省労力省時間を実現し食器を清潔に保つものとして実用化されている。
その設置場所はキャビネットの上あるいはキャビネット内である。その形態はそれぞれ台上設置型、キャビネット内蔵型である。    
【０００３】
しかし、食卓テーブルと食器洗い乾燥機間での食器の運搬労力、時間の節約を必要とする人、例えば、老老介護の老人、足の不自由な人にとっては食卓テーブルすぐ横に食器洗い乾燥機があると足を使った移動がなくなり助かるが、台上設置型食器洗い乾燥機を使用すると大きすぎて人の移動の障害になる。又、食事時に目前に食器洗い乾燥機が見えるのは食事の雰囲気を損なう欠点があった。
【先行技術文献】
【特許文献】
【０００４】
【特許文献１】特開２００１−３４６６３６(P２００１−３４６６３６A)
【発明の概要】
【発明が解決しようとする課題】
【０００５】
解決しようとする問題点は、食事時、食器の配膳には保管場所から食卓テーブルへの食器の移動、食後食器の洗浄には食卓テーブルからキッチンシンクへの食器の移動を必要とし、人の体の移動を伴う点である。
【課題を解決するための手段】
【０００６】
本発明は、高さをほぼ食卓テーブルと同一にし食器の出し入れを上蓋を有する開口部から行いコンパクトなサイズを特徴とし食卓テーブルに付随する食器洗い乾燥機である。
【発明の効果】
【０００７】
本発明の食卓テーブル付随食器洗い乾燥機を使用すると、食後、人はその場で食器を食器洗い乾燥機に入れることができ、体の移動を伴わず、労力、時間の節約になる。そして次の食事時にはその食器洗い乾燥機に保管してあった食器を取り出して食卓テーブルに並べるため、やはり労力、時間の節約になる。
【図面の簡単な説明】
【０００８】
【図１】図１は本発明の食卓テーブル付随食器洗い乾燥機の実施を示す斜視図である。（実施例１）
【図２】図２は図１の食卓テーブル付随食器洗い乾燥機における食器洗い乾燥機の斜視図である。
【図３】図３は図１の食卓テーブル付随食器洗い乾燥機の実施の平面図である。
【図４】図４は図３のＡの側から見た図１の実施例１の側面図である。
【図５】図５は本発明の食卓テーブル付随食器洗い乾燥機の実施を示す斜視図である。（実施例２）
【発明を実施するための形態】
【０００９】
本発明の食卓テーブル付随食器洗い乾燥機は食卓テーブル脇に食器洗い乾燥機をもってくることにより、一か所で食器の配膳、洗浄、保管を行える利点がある。
【実施例１】
【００１０】
図１は、本発明の１実施例の斜視図であって、１は食器洗い乾燥機、２は食卓テーブル、３は食器洗い乾燥機の上蓋、４は開口部、５は固定部、６は給排水管、７はラック、８はラックの足、９は食器洗い乾燥機乗せ部である。
【００１１】
食器洗い乾燥機１はラック７に乗せられ該ラックに固定され、該ラックは食卓テーブル２に固定部５によって固定され、食器洗い乾燥機が食卓テーブル付随食器洗い乾燥機となる。
本発明の主体は食器洗い乾燥機を食卓テーブルに付随させる形態にあるので、食器洗い乾燥機の機構の説明は省略する。
【００１２】
食器洗い乾燥機を食卓テーブルに付随させる平面位置は図３に示すように食卓テーブルの端に沿ったものになり、ラック幅１２は人の通行障害を小さくするように考慮しなくてはならない。従って、食器洗い乾燥機は図２に示す横幅１０が短く、縦幅１１が長いコンパクトなものとなる。
【００１３】
一方、高さ位置は図４に示すように食器洗い乾燥機の上蓋３の高さがほぼ食卓テーブル２の高さと同一になるようにする。これは人が食卓テーブルに向いたまま食器洗い乾燥機への食器の出し入れを行うのを容易にする。しかも、食事中に食器洗い乾燥機が目障りになり食事の雰囲気を損なうことがないようになる。従って、食器洗い乾燥機は図２のように上蓋式がよい。
【００１４】
食器洗い乾燥機の高さ調整はラック７の足８の高さ調整、あるいはラック７の食器洗い乾燥機乗せ部９の高さ調整によって行われる。従ってこの食卓テーブルに付随させる食器洗い乾燥機の方法では、現在、各家庭に有る様々な高さの食卓テーブルに後付けで食器洗い乾燥機を取り付けることが出来る利点がある。
【００１５】
例えば、該食卓テーブル付属食器洗い乾燥機を使用すると図３の人Ａは、食後、食卓テーブル２上の食器をその場で手の届く範囲から集めキッチンタオルなどで残飯をふき取りそのまま食器洗い乾燥機１に入れ洗浄乾燥保管をする。食器洗い乾燥機が保管場所を兼ねている。そして次の食事時には該食器洗い乾燥機１から直に食器を取り出して配膳する。キッチンシンクへ運んだり、保管場所から運んでくる必要がなく、労力、時間の節約になる。
【００１６】
食器洗い乾燥機がコンパクトなため少人数、即ち１人や２人の毎日使う同じ食器を対象とし、老人介護、病人介護、足の不自由な人に有益である。もちろん、朝忙しい独身者、育児に忙しい母親などにも役に立つ。
【実施例２】
【００１７】
図５の実施例は、食器洗い乾燥機が自らの足１４を有する自立型食器洗い乾燥機１３の場合であり、食卓テーブル２に付随している。足１４は高さ調整機能を有しており食卓テーブルの高さに合わせることが出来る。さらに足に車輪をつければ自立型食器洗い乾燥機１３の移動を容易にする。
【符号の説明】
【００１８】
１    食器洗い乾燥機
２    食卓テーブル
３    食器洗い乾燥機の上蓋
４    開口部
５    固定部
６    給排水管
７    ラック
８    ラックの足
９    食器洗い乾燥機乗せ部
１０  横幅
１１  縦幅
１２  ラック幅
１３  自立型食器洗い乾燥機
１４  自立型食器洗い乾燥機の足
Ａ    人
【図１】
2011240005.tif 000003
【図２】
2011240005.tif 000004
【図３】
2011240005.tif 000005
【図４】
2011240005.tif 000006
【図５】
2011240005.tif 000007